(57)【要約】【課題】  無型枠で、免震装置の定着部分の位置決めが容易等の利点を有する免震建築物の架台施工方法を提供する。【解決手段】  地盤に総基礎ＲＣ版６を施工し、総基礎ＲＣ版６の外周に基礎ＲＣ布型７を施工し、総基礎ＲＣ版６の上面及び基礎ＲＣ布型７の内面に剥離手段５を設け、総基礎ＲＣ版６の上面及び基礎ＲＣ布型７の内面に架台ＲＣ床版４を形成し、架台ＲＣ床版４を上方に移動させ、剥離手段５を取り外し、架台ＲＣ床版４と総基礎ＲＣ版６との間に免震装置Ａ、Ｂを介装する。着脱可能なスライディングガイドＣを設け、スライディングガイドＣの外周に剥離手段５を設け、架台ＲＣ床版４を形成した後、スライディングガイドＣを案内として上方に移動させ、架台ＲＣ床版４と総基礎ＲＣ版６との間に免震装置Ａ、Ｂを介装し、スライディングガイドＣを取り外すようにすることが好適である。【選択図】  図３
2005036534.tif 000002
【特許請求の範囲】
【請求項１】
地盤に総基礎鉄筋コンクリート版を施工し、
該総基礎鉄筋コンクリート版の外周に基礎鉄筋コンクリート布型を施工し、
前記総基礎鉄筋コンクリート版の上面及び前記基礎鉄筋コンクリート布型の内面に剥離手段を設け、
前記総基礎鉄筋コンクリート版の上面及び前記基礎鉄筋コンクリート布型の内面に架台鉄筋コンクリート床版を形成し、
該架台鉄筋コンクリート床版を上方に移動させ、
前記剥離手段を取り外し、
該架台鉄筋コンクリート床版と前記総基礎鉄筋コンクリート版との間に免震装置を介装することを特徴とする免震建築物の架台施工方法。
【請求項２】
前記総基礎鉄筋コンクリート版に、該総基礎鉄筋コンクリート版の上面から上方に向かって突出するスライディングガイドを着脱可能に設け、
該スライディングガイドの外周に剥離手段を設け、
前記総基礎鉄筋コンクリート版の上面、前記基礎鉄筋コンクリート布型の内面及び前記スライディングガイドの外周に架台鉄筋コンクリート床版を形成し、
該架台鉄筋コンクリート床版を前記スライディングガイドを案内として上方に移動させ、
前記剥離手段を取り外し、
該架台鉄筋コンクリート床版と前記総基礎鉄筋コンクリート版との間に免震装置を介装し、
前記スライディングガイドを取り外すことを特徴とする請求項１記載の免震建築物の架台施工方法。
【請求項３】
前記スライディングガイドを取り外した後に形成される開口部を、人通孔、床下改め口または搬出入口として利用することを特徴とする請求項２記載の免震建築物の架台施工方法。
【請求項４】
前記スライディングガイドは、鋼板によって中空の方形筒状に形成されることを特徴とする請求項２または３記載の免震建築物の架台施工方法。
【請求項５】
前記架台鉄筋コンクリート床版に、該架台鉄筋コンクリート床版を貫通して上方に突出する中空の床版コネクターを固定し、
該床版コネクターの前記突出部にジャッキ吊り上げパイプを接続し、
該ジャッキ吊り上げパイプ及び前記床版コネクターの内部にオイルジャッキを挿入し、
該オイルジャッキの下端部を前記総基礎鉄筋コンクリート版の上面に当接させ、
前記オイルジャッキを伸縮させることにより、前記床版コネクター及び前記ジャッキ吊り上げパイプを介して前記架台鉄筋コンクリート床版を上下方向へ移動させることを特徴とする請求項１乃至４のいずれかに記載の免震建築物の架台施工方法。
【請求項６】
前記免震装置は、アイソレーターであって、前記架台鉄筋コンクリート床版の下面側に、前記アイソレーターの構成要素である滑り板を装着することを特徴とする請求項１乃至５のいずれかに記載の免震建築物の架台施工方法。
【発明の詳細な説明】
【技術分野】
【０００１】
本発明は、免震建築物の架台施工方法に関し、特に、戸建て等免震建築物の上部建物を支える架台を鉄筋コンクリート（以下、「ＲＣ」と略称する）造で形成する場合に利用する免震建築物の架台施工方法に関する。
【背景技術】
【０００２】
従来、戸建て等免震建築物の上部建物を支える架台をＲＣ造で形成する際には、例えば、図１５に示すように、総基礎ＲＣ版６と一体的に複数のアイソレーターＡとダンパーＢとを固定し、免震ピット１０を挟んで上方に架台ＲＣ床版４を施工し、架台ＲＣ床版４と総基礎ＲＣ版６との間にアイソレーターＡの滑り板を介在させ、さらに、ダンパーＢを介して総基礎ＲＣ版６と架台ＲＣ床版４とを接続し、架台ＲＣ床版４の上に上部建築物１２を築造し、水切１１を施していた。これによって、上部建築物１２と総基礎ＲＣ版６との間に、アイソレーターＡとダンパーＢを介在させ、免震構造としていた。
【０００３】
この際、架台ＲＣ床版４を鋼製または木製の型枠を用いて、支保工またはエアーチューブジャッキによって免震ピット１０を確保し形成した。ここで、総基礎ＲＣ版６と架台ＲＣ床版４との間に設けられる免震装置のアイソレーターＡ及びダンパーＢのアンカーボルト、ベースプレート等の定着部分の位置を、トランシット、レベル、下げ振り等の機器によって正確に一致させる必要があった。さらに、架台ＲＣ床版４には、人通孔（床下改め口、搬出入口）１５を別設していた。
【発明の開示】
【発明が解決しようとする課題】
【０００４】
上記従来の免震建築物の架台施工方法においては、架台ＲＣ床版４を形成する際に、鋼製または木製の型枠、及び支保工材としての鋼管や、木柱またはエアーチューブジャッキ等を含む仮設材の着脱が必要であった。
【０００５】
また、総基礎ＲＣ版６と架台ＲＣ床版４との間に設けられる免震装置のアイソレーターＡ及びダンパーＢのアンカーボルト、ベースプレート等の定着部分の位置を正確に一致させて設置することが容易ではなく、免震ピット１０を挟んで上下に設けられる上記定着部分の位置関係を一致させるため、トランシット、レベル、下げ振り等の機器によって、細心の注意と経験的技術を要し、それでも誤差を発生させる難工事であった。
【０００６】
さらに、架台ＲＣ床版４のリフトアップを行う場合には、転倒を発生させることなく、正確に直上へ移動させるには、大がかりな作業となり、重量機器を用いる必要があった。
【０００７】
また、架台ＲＣ床版４に人通孔（床下改め口、搬出入口）１５を設ける場合には、別途単独に設ける必要があった。
【０００８】
さらに、このような架台ＲＣ床版４の吊上げは、吊上げ用フックを設け、フックの定着に配慮し、コンクリートの硬化を待ち、吊上げワイヤー等の安全の確認を行い、重量機器によって吊上げる必要があった。
【０００９】
また、免震装置としてのアイソレーターＡの滑り板は、作業性から一般に総基礎ＲＣ版６側に上向きに設けられているため、よごれ、ほこり等の付着を防止するための保護設備を必要としていた。
【００１０】
さらに、免震ピット１０の確保は、支保工またはエアーチューブジャッキによって行われていたため、支保工の不安定さや、エアーチューブジャッキのサイズの限界等の問題があった。
【００１１】
そこで、本発明は、上記従来の免震建築物の架台施工方法における問題点に鑑みてなされたものであって、型枠等が不要で、免震装置の定着部分の位置を容易に正確に一致させることができ、架台ＲＣ床版４のリフトアップを重量機器を用いずに容易に行うことができ、架台ＲＣ床版４に人通孔１５等を別途単独に設ける必要がなく、免震装置の滑り板のよごれ等の付着を防止するための保護設備が不要で、十分なスペースを備えた免震ピットを確保することのできる免震建築物の架台施工方法を提供することを目的とする。
【課題を解決するための手段】
【００１２】
上記目的を達成するため、本発明は、免震建築物の架台施工方法であって、地盤に総基礎ＲＣ版を施工し、該総基礎ＲＣ版の外周に基礎ＲＣ布型を施工し、前記総基礎ＲＣ版の上面及び前記基礎ＲＣ布型の内面に剥離手段を設け、前記総基礎ＲＣ版の上面及び前記基礎ＲＣ布型の内面に架台ＲＣ床版を形成し、該架台ＲＣ床版を上方に移動させ、前記剥離手段を取り外し、該架台ＲＣ床版と前記総基礎ＲＣ版との間に免震装置を介装することを特徴とする。
【００１３】
そして、本発明によれば、剥離手段を介在させて、総基礎ＲＣ版の上面及び基礎ＲＣ布型の内面に形成した架台ＲＣ床版を上方に移動させた後、架台ＲＣ床版と総基礎ＲＣ版との間に免震装置を介装するため、無型枠にて架台ＲＣ床版を形成することができる。
【００１４】
また、本発明は、前記免震建築物の架台施工方法において、前記総基礎鉄筋コンクリート版に、該総基礎鉄筋コンクリート版の上面から上方に向かって突出するスライディングガイドを着脱可能に設け、該スライディングガイドの外周に剥離手段を設け、前記総基礎鉄筋コンクリート版の上面、前記基礎鉄筋コンクリート布型の内面及び前記スライディングガイドの外周に架台鉄筋コンクリート床版を形成し、該架台鉄筋コンクリート床版を前記スライディングガイドを案内として上方に移動させ、前記剥離手段を取り外し、該架台鉄筋コンクリート床版と前記総基礎鉄筋コンクリート版との間に免震装置を介装し、前記スライディングガイドを取り外すことを特徴とする。
【００１５】
本発明によれば、スライディングガイドを案内として架台ＲＣ床版を上方に移動させることができるため、架台ＲＣ床版を上方に移動させる際の転倒等の危険を回避することができる。また、スライディングガイドによって架台ＲＣ床版と総基礎ＲＣ版との相対位置を正確に位置決めすることができるため、架台ＲＣ床版と総基礎ＲＣ版との間に設けられる免震装置のアンカーボルト、ベースプレート等の定着部材の位置を、架台ＲＣ床版を打設する前に重ね設置することで確定することができる。これによって、従来、トランシット、レベル、下げ振り等の機器を用いた作業をなくすことができる。
【００１６】
また、前記スライディングガイドを取り外した後に形成される開口部を、人通孔、床下改め口または搬出入口として利用することができる。これによって、別途人通孔等を単独に設けることが不要となる。
【００１７】
前記スライディングガイドは、鋼板によって中空の方形筒状に形成することができる。これによって、軽量かつ組立容易なスライディングガイドを提供することができ、作業を容易に行うことができる。
【００１８】
前記架台ＲＣ床版に、該架台ＲＣ床版を貫通して上方に突出する中空の床版コネクターを固定し、該床版コネクターの前記突出部にジャッキ吊り上げパイプを接続し、該ジャッキ吊り上げパイプ及び前記床版コネクターの内部にオイルジャッキを挿入し、該オイルジャッキの下端部を前記総基礎ＲＣ版の上面に当接させ、前記オイルジャッキを伸縮させることにより、前記床版コネクター及び前記ジャッキ吊り上げパイプを介して前記架台ＲＣ床版を上下方向へ移動させることができる。床版コネクターとジャッキ吊り上げパイプとは、ねじによって接続されていて、これによって、架台ＲＣ床版を上下方向に移動させる際に用いるオイルジャッキの脱着を容易に行うことができるとともに、作業を安全に行うことができる。また、ストロークの長いオイルジャッキを用いることにより、十分なスペースを備えた免震ピットを確保することができる。
【００１９】
前記免震装置は、アイソレーターであって、前記架台ＲＣ床版の下面側に、前記アイソレーターの構成要素である滑り板を装着することができる。これよって、従来必要としていた汚れ、ほこり等の付着を防止するための保護設備が不要となる。
【発明の効果】
【００２０】
以上説明したように、本発明にかかる免震建築物の架台施工方法によれば、無型枠で、免震装置の定着部分の位置決めを容易に行うことができ、架台ＲＣ床版のリフトアップに重量機器が不要で、架台ＲＣ床版に人通孔等を別途単独に設ける必要がなく、免震装置の滑り板のよごれ等の付着を防止するための保護設備が不要で、十分なスペースを備えた免震ピットを確保することが可能となる。
【発明を実施するための最良の形態】
【００２１】
次に、本発明にかかる免震建築物の架台施工方法を用いた架台の施工要領について説明する。
【００２２】
まず、図１（ａ）に示すように、地盤１を所定の深さに根堀した後、基礎地業９を行い、基礎ステコンクリート８を施す。そして、免震装置であるアイソレーター、ダンパーのベースプレート、アンカーボルト、アンカー長袋ナット等のセットを支え置くためのアンカーフレーム１３を配置して据え付ける。
【００２３】
次に、図１（ｂ）に示すように、組立鉄筋１４を施工し、図１（ｃ）に示すように、総基礎ＲＣ版６及び基礎ＲＣ布型７のコンクリートを打設する。ここで、ベースプレートＤ１が総基礎ＲＣ版６から上方に突出している。
【００２４】
次に、図１（ｄ）に示すように、剥離シート５を総基礎ＲＣ版６の上面及び基礎ＲＣ布型７の内面に張り込んだ後、床版コネクターＥ５を配置する。また、スライディングガイドＣを所定の位置に後施工アンカーで固着する。その後、架台ＲＣ床版４のための組立鉄筋１４を施工する。
【００２５】
さらに、図１（ｅ）に示すように、架台ＲＣ床版４のコンクリートを打設する。尚、打設に先だって、スライディングガイドＣとコンクリート打設に接する部分は、剥離シート５か適切な剥離剤で囲む。
【００２６】
図２（ａ）に示すように、床版コネクターＥ５にオイルジャッキＥ１を差し込み、ジャッキ吊上げパイプＥ４を取り付けて、オイルポンプＥ２からオイル高圧ホースＥ３を配する。また、建物周囲の地盤１は、埋戻しを施す。
【００２７】
次に、図２（ｂ）に示すように、オイルポンプＥ２を働動させ、多数バランス良く配置したオイルジャッキＥ１のリフトアップを行う。このリフトアップは、各オイルジャッキＥ１のリフトアップの量が等量となるような仕組みを持つオイルポンプＥ２を使用して行う。尚、必要量のリフトアップが終わった時に、オイルジャッキＥ１に付したストッパーが働くようにする。ここで、安全のため、仮設サポートを要所に配してもよい。
【００２８】
アイソレーター、ダンパーの、架台ＲＣ床版４側のベースプレートＤ１、アンカーボルト、アンカー長袋ナットは、架台ＲＣ床版４に定着された状態でリフトアップされる。そして、免震ピット１０内で、アイソレーター、ダンパーの支柱Ｄ５を取り付ける。
【００２９】
図２（ｃ）に示すように、アイソレーターＡの滑り板Ｄ６及び滑り材Ｄ７を取り付け、ダンパーＢを支柱Ｄ５に取り付ける。
【００３０】
次に、図２（ｄ）に示すように、アイソレーターＡ及びダンパーＢの上端に、架台ＲＣ床版４を載荷し、ジャッキダウンを行い、架台ＲＣ床版４とアイソレーターＡ、ダンパーＢの取付けボルトＤ４を施す。
【００３１】
最後に、図２（ｅ）に示すように、上記オイルジャッキＥ１の付属一式を撤去し、また、スライディングガイドＣを撤去し、架台ＲＣ床版４の設置が完了する。
尚、図３は、上記図２（ｄ）の状態を示した図であって、アイソレーターＡ、ダンパーＢの取付けと、オイルジャッキＥ１のリフトダウンが完了した状態を示している。そして、上部建築物１２は、スライディングガイドＣ及びオイルジャッキＥ１を撤去した後、築造され、水切１１が施される。
【００３２】
図４は、アイソレーターＡ廻りの詳細各部について示したものであって、通常、アイソレーターＡは、これらの全体を意味する。支柱Ｄ５の下端部が、ベースプレートＤ１、アンカーボルトＤ２、アンカー長袋ナットＤ３及び取付ボルトＤ４を介して、総基礎ＲＣ版６に固定され、滑り板Ｄ６が、同様に、ベースプレートＤ１、アンカーボルトＤ２、アンカー長袋ナットＤ３及び取付ボルトＤ４を介して架台ＲＣ床版４に固定される。そして、支柱Ｄ５の上端部に取付ボルトＤ４を介して固定された滑り材Ｄ７と上記滑り板Ｄ６が、摺動可能に当接している。
【００３３】
図５は、ダンパーＢ廻りの詳細の各部について示したものであり、ダンパーＢは、これらの全体または本体を意味して称されることが多い。ダンパーＢの下端部には、支柱Ｄ５が取付ボルトＤ４を介して接続され、支柱Ｄ５の下端部がベースプレートＤ１、アンカーボルトＤ２、アンカー長袋ナットＤ３及び取付ボルトＤ４を介して、総基礎ＲＣ版６に固定される。一方、ダンパーＢの上端部が、ベースプレートＤ１、アンカーボルトＤ２、アンカー長袋ナットＤ３及び取付ボルトＤ４を介して、架台ＲＣ床版４に固定される。
【００３４】
図６及び図７は、スライディングガイドＣの詳細を示す。上下につなぎ板Ｄ１２によって、２枚のコの字状鋼板のガイドプレートＤ１０を、取付けボルトＤ４によって方形筒状に組み立てる。スライディングガイドＣの高さは、リフトアップ量、免震ピット１０の深さ等に基づいて決定され、通常２ｍ前後である。スライディングガイドＣを撤去した後の開口部を人通孔として使用する場合には、上記方形寸法は、６００〜９００ｍｍ程度とする。本体の各部材は、鋼板で３〜６ｍｍ程の板厚のものを使用する。架台ＲＣ床版４のリフトアップ時における取付ボルトＤ４の移動当たりを防ぐため、コンクリートの流入を防ぐコの字箱型のボルトカバーＤ１１を取り付ける。ガイドプレートＤ１０の下端部には、ベースプレートが溶接々合されていて、後施工アンカーを取り付ける部位を設けている。このスライディングガイドＣは、垂直移動の案内と、転倒力に作用させるものである。架台ＲＣ床版４のコンクリート打設前には、スライディングガイドＣのコンクリートと接する部分に、剥離シートまたは剥離剤を施す。
【００３５】
図８は、床版コネクターＥ５廻りの納まりを示したものである。架台ＲＣ床版４の下には、剥離シート５が張られている。この剥離シート５の材質としては、ビニール系シート同等品や発泡スチロール系板を用いる。剥離シート５の代わりに、剥離剤を用いてもよく、剥離剤としては市販剥離塗布剤を用いることができる。
【００３６】
図９は、床版コネクターＥ５廻りの詳細を示すものである。架台ＲＣ床版４に埋設されるコネクターパイプＥ６の上部は、ジャッキ吊上げパイプＥ４と接続するためのねじ切りが施されている。架台ＲＣ床版４の下端部と接するコネクターリングプレートＥ７と、コネクターパイプＥ６とは、互いに溶接々合され、吊上げ力に耐えられるように施工されている。吊上げ時に集中するせん断力に対してコンクリートを補強するため、コネクタースパイラルバーＥ８をコネクターリングプレートＥ７とコネクターパイプＥ６のコーナー全周に配し、溶接々合している。各部材には鋼材等を使用し、架台ＲＣ床版４に配置される床版コネクターＥ５に作用する力を算出し、充分耐え得る鋼材厚とする。また、コネクターパイプＥ６の径は、１００〜２００ｍｍ程度とする。
【００３７】
図１０及び図１１は、本発明にかかる免震建築物の架台施工方法のもう一つの実施の形態として、ダンパーＢを使用せずに、アイソレーターＡのみを用いた場合を示している。図１０は、上述の実施の形態における図３に相当する図であって、アイソレーターＡの取付けと、オイルジャッキＥ１のリフトダウンが完了した状態を示している。
【００３８】
このアイソレーターＡは、図１１に示すように、曲面を有する滑り板Ｄ６を上下に２枚配置し、上方の滑り板Ｄ６が、ベースプレートＤ１及びアンカーボルトＤ２を介して架台ＲＣ床版４に固定され、下方の滑り板Ｄ６が、ベースプレートＤ１、アンカーボルトＤ２、アンカー長袋ナットＤ３、取付ボルトＤ４及び支柱Ｄ５を介して、総基礎ＲＣ版６に固定される。そして、両滑り板Ｄ６間に滑り材Ｄ７を介在させている。滑り板Ｄ６の曲面の曲率半径や、滑り材Ｄ７の滑り係数によっては、ダンパーＢを使用しない構成も可能となる。このような構成を有する免震建築物の架台施工方法についても本発明にかかる免震建築物の架台施工方法を適用することができる。
【００３９】
図１２乃至図１４は、本発明にかかる免震建築物の架台施工方法のもう一つの実施の形態として、転がり免震の場合を示している。図１２は、上述の実施の形態における図３、図１０に相当する図であって、転がり装置Ｄ９と、オイルを用いたダンパーＢの取付けと、オイルジャッキＥ１のリフトダウンが完了した状態を示している。
【００４０】
アイソレーターＡは、図１３に示すように、転がり板Ｄ８が、ベースプレートＤ１、アンカーボルトＤ２、アンカー長袋ナットＤ３、取付ボルトＤ４及び支柱Ｄ５を介して、総基礎ＲＣ版６に固定され、転がり装置Ｄ９が、ベースプレートＤ１及びアンカーボルトＤ２を介して架台ＲＣ床版４に固定されている。
【００４１】
また、ダンパーＢは、左端が、ベースプレートＤ１、アンカーボルトＤ２及び支柱Ｄ５を介して総基礎ＲＣ版６に固定され、右端が、アンカーボルトＤ２及び支柱Ｄ５を介して架台ＲＣ床版４に固定されている。このような構成を有する免震建築物の架台施工方法についても本発明にかかる免震建築物の架台施工方法を適用することができる。
【００４２】
尚、上記実施の形態においては、滑り板Ｄ６を架台ＲＣ床版４側に取り付けていたが、これとは逆に、滑り板Ｄ６を総基礎ＲＣ版６側に取り付ける場合でも、本発明にかかる免震建築物の架台施工方法を適用することができる。また、アイソレーターＡ及びダンパーＢの支柱Ｄ５の寸法が小さい場合、及び支柱Ｄ５が存在せず、免震ピット１０内の空間が小さい場合等であっても、本発明にかかる免震建築物の架台施工方法を適用することが可能である。
【図面の簡単な説明】
【００４３】
【図１】本発明にかかる免震建築物の架台施工方法の説明図である。
【図２】本発明にかかる免震建築物の架台施工方法の説明図である。
【図３】本発明にかかる免震建築物の架台施工方法の説明図であって、（ａ）は、（ｂ）におけるロ−ロ断面見上げ図、（ｂ）は、（ａ）のイ−イ断面図である。
【図４】アイソレータを示す断面図である。
【図５】ダンパーを示す断面図である。
【図６】本発明にかかる免震建築物の架台施工方法で使用するスライディングガイドを示す図であって、（ａ）は正面図、（ｂ）は、（ａ）のハ−ハ断面図である。
【図７】本発明にかかる免震建築物の架台施工方法で使用するスライディングガイドを示す図であって、（ａ）は正面図（図６（ａ）の側面図）、（ｂ）は、（ａ）のニ−ニ断面図である。
【図８】本発明にかかる免震建築物の架台施工方法で使用するオイルジャッキ等を示す断面図である。
【図９】本発明にかかる免震建築物の架台施工方法で使用するコネクターパイプ等を示す図であって、（ａ）は断面図、（ｂ）は、（ａ）のホ−ホ断面図である。
【図１０】本発明にかかる免震建築物の架台施工方法の説明図であって、（ａ）は、（ｂ）におけるト−ト断面見上げ図、（ｂ）は、（ａ）のヘ−ヘ断面図である。
【図１１】アイソレータを示す断面図である。
【図１２】本発明にかかる免震建築物の架台施工方法の説明図であって、（ａ）は、（ｂ）におけるリ−リ断面見上げ図、（ｂ）は、（ａ）のチ−チ断面図である。
【図１３】アイソレータを示す断面図である。
【図１４】ダンパーを示す断面図である。
【図１５】従来の免震建築物の架台施工方法の一例の説明図であって、（ａ）は、（ｂ）におけるル−ル断面見上げ図、（ｂ）は、（ａ）のヌ−ヌ断面図である。
【符号の説明】
【００４４】
１      地盤
２      地表面
３      空間
４      架台ＲＣ床版
５      剥離シート
６      総基礎ＲＣ版
７      基礎ＲＣ布型
８      基礎ステコンクリート
９      基礎地業
１０    免震ピット
１１    水切
１２    上部建築物
１３    アンカーフレーム
１４    組立鉄筋
１５    人通孔
Ａ      アイソレーター
Ｂ      ダンパー
Ｃ      スライディングガイド
Ｄ１    ベースプレート
Ｄ２    アンカーボルト
Ｄ３    アンカー長袋ナット
Ｄ４    取付ボルト
Ｄ５    支柱
Ｄ６    滑り板
Ｄ７    滑り材
Ｄ８    転がり板
Ｄ９    転がり装置
Ｄ１０  ガイドプレート
Ｄ１１  ボルトカバー
Ｄ１２  つなぎ板
Ｅ１    オイルジャッキ
Ｅ２    オイルポンブ
Ｅ３    オイル高圧ホース
Ｅ４    ジャッキ吊上げパイプ
Ｅ５    床版コネクター
Ｅ６    コネクターパイプ
Ｅ７    コネクターリングプレート
Ｅ８    コネクタースパイラルバー
【図１】
2005036534.tif 000003
【図２】
2005036534.tif 000004
【図３】
2005036534.tif 000005
【図４】
2005036534.tif 000006
【図５】
2005036534.tif 000007
【図６】
2005036534.tif 000008
【図７】
2005036534.tif 000009
【図８】
2005036534.tif 000010
【図９】
2005036534.tif 000011
【図１０】
2005036534.tif 000012
【図１１】
2005036534.tif 000013
【図１２】
2005036534.tif 000014
【図１３】
2005036534.tif 000015
【図１４】
2005036534.tif 000016
【図１５】
2005036534.tif 000017